(57)【要約】【課題】  使用時に夜間でも先端の位置を容易に認識し得る玉網の柄を提供する。【解決手段】  この玉網の柄２を構成する筒状体のなかで最も先端側に位置する第５筒状体１５の先端には口栓３が取り付けられている。この第５筒状体１５の口栓３の手元側に隣接する部分には、貫通孔が形成される。貫通孔にはパイプ部材２０がはめ込まれ、ここに発光体Ｘを差し込む。【選択図】      図２
2005124467.tif 000002
【特許請求の範囲】
【請求項１】
先端側筒状体と、前記先端側筒状体の手元側に振出形式で連結される中間筒状体と、前記中間筒状体の手元側に振出形式で連結される手元側筒状体とを有する玉網の柄であり、
前記先端側筒状体の先端側端部に装着された口栓と、
前記先端側筒状体の口栓の手元側に隣接する部分に形成された発光体取付体と、
を備えた玉網の柄。
【請求項２】
前記口栓は前記先端側筒状体の先端側に外嵌される本体部を有し、前記本体部の外周面は前記手元側筒状体の先端側端部に内嵌可能であり、
前記発光体取付体は前記先端側筒状体に対して脱着自在であり、且つ、前記手元側竿体の先端側端面に当接する当接部を有している、請求項１に記載の玉網の柄。
【請求項３】
前記第１筒状体は、その先端側に径方向に貫通する貫通孔が形成されており、前記貫通孔に脱着自在に差し込まれた前記手元側筒状体の先端側端面に当接する長さのパイプ部材を有し、前記パイプ部材が前記発光体取付体である、請求項２に記載の玉網の柄。
【請求項４】
前記発光体取付体は、前記手元側筒状体の先端側端面に当接する当接面を有する本体部と、前記本体部上に形成された発光体取付部と、前記本体部を前記先端側筒状体の周面に装着する装着ベルトとを有している、請求項２に記載の玉網の柄。
【請求項５】
先端側筒状体と、前記先端側筒状体の手元側に振出形式で連結される中間筒状体と、前記中間筒状体の手元側に振出形式で連結される手元側筒状体とを有する玉網の柄であり、
前記先端側筒状体の先端側端部に装着され、発光体取付部を有する口栓と、
を備えた玉網の柄。
【発明の詳細な説明】
【技術分野】
【０００１】
本発明は、魚釣りの際に用いる玉網の柄に関する。
【背景技術】
【０００２】
魚釣りを行う際に、釣竿の仕掛けに係った魚を引き上げるために玉網が用いられる。玉網は、環状の枠部と、枠部に固定される袋状の網と、枠部に連結された柄とを有している。この柄は、複数の先細りテーパの施された筒状体を順次振出形式に連結してなるものであり、順次手元側の筒状体内に先端側の筒状体が収納可能となっている（例えば、一般的な玉網の構造を示すものとして、特許文献１参照）。
【０００３】
このような玉網では、収納時は柄を構成する筒状体を順次手元側に収納したコンパクトな状態としておく。そして、釣竿の仕掛けにかかった魚を釣り上げる際に、網側を水面に向かって勢いよく差し出し、順次の筒状体を引き出して長い一本の柄部として先端の網に魚をすくい入れる。
【０００４】
このような玉網に関しては、夜釣りの際の視認性に劣るという問題がある。即ち、玉網の柄は多数の筒状体を連結しており、その長さが長いものも多い。夜釣りの際に水面に向かって網を差し出すと、何処の辺りに玉網の網乃至枠が位置しているのか解らないこともある。
【特許文献１】特開２００２−２４７９３１号公報
【発明の開示】
【発明が解決しようとする課題】
【０００５】
本発明は、夜間でも使用する際に先端の位置を容易に認識し得る玉網の柄を提供することにある。
【課題を解決するための手段】
【０００６】
本発明の玉網の柄は、先端側筒状体と、先端側筒状体の手元側に振出形式で連結される中間筒状体と、中間筒状体の手元側に振出形式で連結される手元側筒状体とを有する玉網の柄である。
【０００７】
この玉網の柄は、最も先端側に位置する先端側筒状体の先端に網枠を連結して用いられる。先端側に位置する先端側筒状体から順次手元側に位置する各筒状体内に振出形式に各筒状体が収納されて、最終的に最も手元側に位置する手元側筒状体へ収納されてコンパクトな状態となる。そして、釣竿の仕掛けにかかった魚を釣り上げる際には、網側を水面に向かって勢いよく差し出し、順次の筒状体を引き出して長い一本の柄部として先端の網に魚をすくい入れる。ここで、この玉網の柄は、その先端側筒状体の先端側端部には口栓が装着されており、先端側筒状体の口栓の手元側に隣接する部分に形成された発光体取付体を備えている。この発光体取付体に発光体を取り付ければ、口栓の手元側の位置を夜間でも認識できる。
【０００８】
ある１つの玉網の柄の態様においては、口栓は先端側筒状体の先端側に外嵌される本体部を有し、本体部の外周面は手元側筒状体の先端側端部に内嵌可能である。また、発光体取付体は先端側筒状体に対して脱着自在であり、且つ、手元側筒状体の先端側端面に当接する当接部を有している。
【０００９】
ここでは、釣りを終えて玉網の柄を仕舞うにあたって各筒状体を短く収納した際に、発光体取付体を取り外し、口栓を手元側筒状体の先端側端部に内嵌させて栓をする。これにより、不当に各筒状体が手元側筒状体から飛び出してしまうのを防止できる。使用時には、先端側筒状体に発光体取付体を取り付け、さらに発光体を発光体取付体に取り付ける。この状態で各筒状体を手元側筒状体に収納しても、この発光体取付体の当接部が手元側筒状体に当接し、口栓が不用意に手元側筒状体に嵌ってしまうのを防止できる。また、発光体取付体に取り付けた発光体が手元側筒状体にあたって破損してしまうのも防止する。
【００１０】
さらに、上記態様において、第１筒状体は、その先端側に径方向に貫通する貫通孔が形成されており、貫通孔に脱着自在に差し込まれた前記手元側筒状体の先端側端面に当接する長さのパイプ部材を有するものとしてもよい。このパイプ部材が発光体取付体である。
【００１１】
また、別の態様においては、発光体取付体は、手元側筒状体の先端側端面に当接する当接面を有する本体部と、本体部上に形成された発光体取付部と、本体部を先端側筒状体の周面に装着する装着ベルトとを有している。
【００１２】
ここでは、装着ベルトを先端側筒状体の周面に巻き付けて発光体取付体を先端側筒状体の所定の位置に取り付ける。
本発明の別の玉網の柄は、先端側筒状体と、先端側筒状体の手元側に振出形式で連結される中間筒状体と、中間筒状体の手元側に振出形式で連結される手元側筒状体とを有する玉網の柄である。そして、先端側筒状体の先端側端部に装着され、発光体取付部を有する口栓を備えている。
【００１３】
口栓の発光体取付部に発光体を取り付けて使用することで、夜間においても玉網の柄の先端部付近を認識できる。
【発明の効果】
【００１４】
本発明に係る玉網の柄によれば、発光体を取り付けることで、使用時に夜間でも先端の位置を容易に認識し得る。
【発明を実施するための最良の形態】
【００１５】
［第１実施形態］
本発明の第１実施形態について図面を参照しつつ説明する。
まず、玉網全体の構造を示す。この玉網は、図１に示すように、環状の枠に網が取り付けられた網枠部１とこれに連結される玉網の柄２とからなる。この玉網の柄２は、複数の筒状体を連結してなるものである。玉網の柄２の先端側端部には口栓３が取り付けられている。
【００１６】
網枠部１は、ステンレス合金やチタン合金等からなる金属製部材を環状に折り曲げて形成した枠部分を、ナイロン繊維等からなる糸を網目状の編み込んでなる略円筒型の網の開口縁に通して、枠と網とを組み合わせたものである。また、枠部分は環状の外周面に形成され外周方向に開口した溝部を有し、網の開口縁が係止されている金属製またはナイロン製の芯線がこの溝部に嵌入され締め付けられることで、網が枠部分に固定されている。また、この枠部分の一部に雄ねじ等が形成され、この雄ねじ部が玉網の柄２に連結される。
【００１７】
柄部２は、例えば、５つの筒状体（最も手元側に位置する第１筒状体１１〜第５筒状体１５）を順次連結してなる部分である。各筒状体１１〜１５は、それぞれ炭素繊維等の強化繊維に合成樹脂を含浸させた繊維強化樹脂を芯材に巻回して焼成して製造する先細り筒状部材である。これらはいわゆる振出形式で連結されており、順次手元側の筒状体内に収納可能である。即ち、これらの第２筒状体１２〜第５筒状体１５の手元側端部外周面はそれぞれ嵌合雄部（図示せず）となっており、順次各筒状体を引きだして引き延ばした際に、それぞれ手元側の筒状体の先端側の内周面に嵌着し、先端側への抜けが規制されている。また、第５筒状体１５の先端側端部内周面には直接第５筒状体１５の内周面にねじ溝が形成され、若しくはナット部材が内嵌されている。ここに、上述の網枠部１の雄ねじ部が連結されることになる。
【００１８】
最も先端側に位置する小径の第５筒状体１５の先端側端部には口栓３が外嵌している。この口栓３は、例えば、ＡＢＳやポリカーボネイトのような硬質合成樹脂，ウレタンゴムやスチレンゴム等のゴム，若しくはステンレスなどの金属材からなる。第５筒状体１５の穂先側端部が口栓３の手元側の端面に挿入された状態である。また、この口栓３の外周面は手元側ほど小径化するようなテーパ面であり、第１筒状体１１の穂先側端部が嵌着できるように設定されている。各筒状体を収納した際の栓として口栓３が作用する（図２など参照）。
【００１９】
次に、第５筒状体１５について、図２を参酌しつつ詳説する。
上述のように、第５筒状体１５は最も先端側に位置する先細りテーパの施された筒状体である。その先端側には網枠部１が連結され、口栓３が取り付けられている。
【００２０】
第５筒状体１５の口栓３の手元側に隣接する部分には、径方向に貫通する貫通孔が形成されている。そして、この貫通孔に脱着自在にパイプ部材２０が差し込まれている。パイプ部材２０は、硬質合成樹脂若しくは金属等から形成される。その内径は市販の棒状の発光体Ｘ（例えば、いわゆるケミホタル等）を挿入しこれを保持できるように設定される。他方、その軸長方向長さは、第１筒状体１１の先端側端部の外径に等しく若しくはそれより長く設定する。このパイプ部材２０は、発光体をその内部に保持しやすいように、例えば、内取面に凹凸の加工を施してもよい。若しくは、ゴム素材からパイプ部材２０その物を形成してもよい。
【００２１】
以上のように、この玉網は、玉網の柄２の最も先端側に位置する第５筒状体１５の先端に網枠部１を連結して用いられる。使用時には、第５筒状体１５の貫通孔にパイプ部材２０を装着し、ここに発光体Ｘを差し込んで保持する。この状態で、先端側に位置する第５筒状体１５から順次手元側に位置する各筒状体内に振出形式に各筒状体が収納される。パイプ部材２０は第１筒状体１１の先端側端部に当接し、第５筒状体１５は全て第１筒状体に収納されるものではない。誤って、勢いよく第５筒状体１５を第１筒状体１１方向（手元側方向）に収納しても、パイプ部材２０が発光体の破損を防止すると共に、第１筒状体１１が口栓と嵌着することも抑えている。そして、釣竿の仕掛けにかかった魚を釣り上げる際には、網枠部１を水面に向かって勢いよく差し出し、順次の筒状体を引き出して長い一本の柄部として先端の網に魚をすくい入れる。発光体Ｘが発光し、第５筒状体１５の先端位置をユーザに知らしめる。
【００２２】
他方、釣りを終えて玉網を仕舞う場合には、玉網の柄２から網枠部１を取り外し、さらに、パイプ部材２０を第５筒状体１５より取り外す。そして、第５筒状体１５から順次第１筒状体１１内へと振出形式に収納してコンパクトな状態とし、口栓３を第１筒状体１１の先端側に嵌めて栓をする。
【００２３】
［第２実施形態］
次に、本発明の第２の実施形態について説明する。なお、玉網の構造は第１実施形態と同様であり、その説明は省略する。
【００２４】
図３及び図４に示すように、この玉網の柄２を構成する筒状体の中でもっとも先端側に位置する第５筒状体１５は、その先端側には網枠部１が連結され、口栓３が取り付けられている。第５筒状体１５の先端側内周面は上記第１実施形態と同様に雌ねじ部分となっており、網枠部１が連結される。
【００２５】
第５筒状体１５の口栓３の手元側に隣接する部分には、発光体取付体２１が脱着自在に装着される。この発光体取付体２１は、本体部２２と、発光体取付部２２とからなる。本体部２２は一対の半割リングからなり、この一対の半割リングがヒンジで連結されている。この本体部２２が第５筒状体１５の周面を挟み込むようにして、第５筒状体１５の周面に固定される。例えば、板バネなどを付勢手段を本体部２２に組み込み、一対の半割リングを付勢して、第５筒状体１５に本体部２２を取り付ける。この本体部２２は一対の半割リングを組み合わせた際の外径は、第１筒状体１１の先端側端部の径に等しく若しくはそれより大きくなるように設定される。従って、本体部２２の側面は第１筒状体１１の先端側端面に当接する当接面となる。発光体取付部２３は、本体部の周面に連結されるパイプである。そのパイプは第５筒状体１５の軸長方向に直交する方向に延びる。その内径は市販の棒状の発光体Ｘ（例えば、いわゆるケミホタル等）を挿入しこれを保持できるように設定される。
【００２６】
この玉網も、第１実施形態と同様に、玉網の柄２の最も先端側に位置する第５筒状体１５の先端に網枠部１を連結して用いられる。使用時には、第５筒状体１５の先端側の口栓３の手元側の周面に発光体取付体２１を取り付ける。そして、その発光体取付部２３に発光体Ｘを差し込んで保持する。この状態で、先端側に位置する第５筒状体１５から順次手元側に位置する各筒状体内に振出形式に各筒状体が収納される。発光体取付体２１の本体部２２に当接し、第５筒状体１５は全て第１筒状体に収納されるものではない。誤って、勢いよく第５筒状体１５を第１筒状体１１方向（手元側方向）に収納しても、発光体取付体２１が発光体Ｘの破損を防止すると共に、第１筒状体１１が口栓と嵌着することも抑えている。そして、釣竿の仕掛けにかかった魚を釣り上げる際には、網枠部１を水面に向かって勢いよく差し出し、順次の筒状体を引き出して長い一本の柄部として先端の網に魚をすくい入れる。発光体Ｘが発光し、第５筒状体１５の先端位置をユーザに知らしめる。
【００２７】
［第３実施形態］
本発明の第３実施形態を説明する。図５に示すように、この玉網においても、第２実施形態と同様に、玉網の柄２の第５筒状体１５の周面に、発光体取付体２５が脱着自在に取り付けられる。
【００２８】
この発光体取付体２５は、本体部２６と、本体部２６に連結される一対の取付ベルト２７と、発光体取付部２８とからなる。本体部２２は硬質合成樹脂等からなる箱形部材である。その長手方向長さは、第１筒状体１１の先端側端部の径に等しく若しくはそれより大きくなるように設定される。従って、本体部２６の１つの側面が第１筒状体１１の先端側端面に当接する当接面となる。この本体部２２の１つの面には第５筒状体１５の周面に沿うような湾曲部分を形成してもよい。このような湾曲部分を形成した面に一対の取付ベルト２７が連結される。取付ベルト２７は伸縮性を有するものとして周面に面ファスナなどを形成しておく。本体部２２の上述の湾曲部分を第５筒状体１５の口栓３の手元側に配置し、この取付ベルト２７を第５筒状体１５に巻き付ける等して、本体部２２を第５筒状体１５に取り付ける。発光体取付部２８は、本体部の周面に連結されるパイプである。そのパイプは第５筒状体１５の軸長方向に直交する方向に延びる。その内径は市販の棒状の発光体Ｘ（例えば、いわゆるケミホタル等）を挿入しこれを保持できるように設定される。
【００２９】
このような玉網の使用態様は、上記第２実施形態と同様である。
［第４実施形態］
本発明の第４実施形態を説明する。この玉網の柄２も、上記各実施形態と同様に、第１筒状体１１〜第５筒状体１５を振出形式に連結して構成されている。第５筒状体１５の先端側端部内周面にはねじ溝が直接形成され若しくはナット部材が収納されている。ここに、網枠部１が連結されることになる。
【００３０】
図６に示すように、さらに、第５筒状体１５の先端側には口栓３０が外嵌されている。詳しく説明すると、この口栓３０は、軸方向に第５筒状体１５が貫通するための貫通孔が設けられたゴム製の部材である。例えば、NBRなどのゴムから構成される。そのゴム硬度は好ましくは７０±５程度に設定する。
【００３１】
口栓３０は先端側に位置する鍔状部分３２と、鍔状部分３２の手元側に鍔状部分３２より小径に加工された嵌着部分３１とに区分される。鍔状部分３２は第１筒状体１１の先端側の外径よりやや大きめの外径を有する円盤形の部分である。他方、嵌着部分３１は、手元側ほど徐々に小径化するようなテーパ面となっている。嵌着部分３１はその外径を第１筒状体１１の穂先側の内径にあわせて調整されており、各筒状体を完全に振出形式に収納した際に、口栓３０と第１筒状体１１とが嵌着して、栓となる。この口栓３０の鍔状部分３２には幅方向に貫通する貫通孔が形成されている。この貫通孔は市販の発光体Ｘ（例えば、ケミホタルなど）を挿入しこれを保持できるように設定される。
【００３２】
このような玉網も、玉網の柄２の第５筒状体１５の先端側に網枠部１を連結して使用される。使用時に、口栓３０に発光体Ｘを挿入しておけば、発光体Ｘが発光し、第５筒状体１５の先端位置をユーザに知らしめる。また、各筒状体を振出形式に第１筒状体１１に収納しても、口栓３０の鍔状部分３２は第１筒状体１１内に収納されないので、ここに発光体Ｘを取り付けても発光体Ｘが破損することもない。
【図面の簡単な説明】
【００３３】
【図１】本発明の第１実施形態を採用した玉網の全体図。
【図２】本発明の第１実施形態を採用した玉網の口栓３付近を示した図。
【図３】本発明の第２実施形態を採用した玉網の口栓３付近を示した図。
【図４】図３の発光体取付体２１を示した図。
【図５】本発明の第３実施形態を採用した玉網の口栓３付近を示した図。
【図６】本発明の第４実施形態を採用した玉網の口栓３０付近を示した図。
【符号の説明】
【００３４】
３，３０  口栓
１１〜１５  第１〜第５筒状体
２０  パイプ部材
２１，２５  発光体取付体
Ｘ  発光体（ケミホタル）
【図１】
2005124467.tif 000003
【図２】
2005124467.tif 000004
【図３】
2005124467.tif 000005
【図４】
2005124467.tif 000006
【図５】
2005124467.tif 000007
【図６】
2005124467.tif 000008